(57)【要約】      （修正有）【課題】ポンプ付収納物を確実に集積包装することができる集積ホルダーを提供する。【解決手段】罫線を介して固着片１、側面板２ａ、前面板３、側面板２ｂおよび後面板４を連設したホルダー本体Ａの、前記後面板の下辺に罫線１０を介して保持具Ｂを設けた集積ホルダーであって、前記保持具は、貼着片２０の左右に罫線を介して、下端に係止凹部２１ａ、２１ｂを有する係止片２２ａ，２２ｂさらに、前記係止片の外辺に罫線を介して貼着舌片２３ａ，２３ｂ、および上辺に罫線を介して保持片２４ａ，２４ｂが設けられたブランク板を用いることにより解決した。【選択図】図１
2011006077.tif 000002
【特許請求の範囲】
【請求項１】
罫線を介して固着片（１）、側面板（２ａ）、前面板（３）、側面板（２ｂ）および後面板（４）を連設したホルダー本体（Ａ）の、前記後面板（４）の下辺に罫線（１０）を介して保持具（Ｂ）を設けた集積ホルダーであって、前記係止具（Ｂ）は、貼着片（２０）の左右に罫線を介して、下端に係止凹部（２１ａ）（２１ｂ）を有する係止片（２２ａ）（２２ｂ）、さらに、前記係止片（２２ａ）（２２ｂ）の外辺に罫線を介して貼着舌片（２３ａ）（２３ｂ）、および上辺に罫線を介して保持片（２４ａ）（２４ｂ）が設けられたブランク板を、罫線を介して折り曲げ、前記固着片（１）を前記後面板（４）に固着すると共に、前記貼着片（２０）を罫線（１０）から内方に折り返し、前記後面板（４）の内面に固着し、また、前記前記係止片（２２ａ）（２２ｂ）を前記貼着片（２０）側に折り曲げ、かつ、前記貼着舌片（２３ａ）（２３ｂ）を対向する前記前面板（３）の内面に固着したことを特徴とする集積ホルダー。
【請求項２】
罫線を介して固着片（１）、側面板（２ａ）、前面板（３）、側面板（２ｂ）および後面板（４）を連設したホルダー本体（Ａ）の、前記後面板（４）の上辺に罫線（１０）を介して保持具（Ｂ）を設けた集積ホルダーであって、前記係止具（Ｂ）は、貼着片（２０）の左右に罫線を介して、上端に係止凹部（２１ａ）（２１ｂ）を有する係止片（２２ａ）（２２ｂ）、さらに、前記係止片（２２ａ）（２２ｂ）の外辺に罫線を介して貼着舌片（２３ａ）（２３ｂ）、および下辺に罫線を介して保持片（２４ａ）（２４ｂ）が設けられたブランク板を、罫線を介して折り曲げ、前記固着片（１）を前記後面板（４）に固着すると共に、前記貼着片（２０）を罫線（１０）から内方に折り返し、前記後面板（４）の内面に固着し、また、前記前記係止片（２２ａ）（２２ｂ）を前記貼着片（２０）側に折り曲げ、かつ、前記貼着舌片（２３ａ）（２３ｂ）を対向する前記前面板（３）の内面に固着したことを特徴とする集積ホルダー。
【請求項３】
前記貼着片（２０）は、貼着片（２０）中心が、前記後面板（４）の中心から外れた位置に設けられていることを特徴とする請求項１または２に記載の集積ホルダー。
【発明の詳細な説明】
【技術分野】
【０００１】
本発明は、シャンプー、リンス、洗浄剤等を充填しているノズルを有するポンプ機構を備えた容器の集積ホルダーに関する。
【背景技術】
【０００２】
従来のシャンプー、リンス、洗浄剤等を充填しているノズルを有するポンプ機構を備えた容器の集積包装体は、容器の首部を係止する穴の形状が異なる舌片を２枚重ね合わせ、容器を一定方向に揃え、保持することができる把持部材、およびこの把持部材と窓部を有する包装部材を組み合わせた集積包装体が提案されている（特許文献１参照）。
【先行技術文献】
【特許文献】
【０００３】
【特許文献１】特開２００３−３１２７２５号公報
【発明の概要】
【発明が解決しようとする課題】
【０００４】
特許文献１に記載の包装体は、首部を把持部材により係止し、容器全体を露出した形態、または首部を把持部材により係止し、さらに容器全体を包装する形態であり、前者は、容器全体を露出した形態であるので、広告等の表示ができず、また、後者は、容器全体を包装する形態であるので、包装のため多くの資材を必要とするものであった。
本発明の目的は、多くの資材を用いることなく、広告等の表示が可能で、確実にポンプ機構を備えた容器を集積包装することができる集積ホルダーを提供することである。
【課題を解決するための手段】
【０００５】
本発明の請求項１に係る発明は、罫線を介して固着片（１）、側面板（２ａ）、前面板（３）、側面板（２ｂ）および後面板（４）を連設したホルダー本体（Ａ）の、前記後面板（４）の下辺に罫線（１０）を介して保持具（Ｂ）を設けた集積ホルダーであって、前記係止具（Ｂ）は、貼着片（２０）の左右に罫線を介して、下端に係止凹部（２１ａ）（２１ｂ）を有する係止片（２２ａ）（２２ｂ）、さらに、前記係止片（２２ａ）（２２ｂ）の外辺に罫線を介して貼着舌片（２３ａ）（２３ｂ）、および上辺に罫線を介して保持片（２４ａ）（２４ｂ）が設けられたブランク板を、前記貼着片（２０）を罫線（１０）から内方に折り返し、前記後面板（４）の内面に固着し、また、前記前記係止片（２２ａ）（２２ｂ）を前記貼着片（２０）側に折り曲げ、かつ、前記貼着舌片（２３ａ）（２３ｂ）を対向する前記前面板（３）の内面に固着したことを特徴とする集積ホルダーである。
【０００６】
本発明の請求項２に係る発明は、罫線を介して固着片（１）、側面板（２ａ）、前面板（３）、側面板（２ｂ）および後面板（４）を連設したホルダー本体（Ａ）の、前記後面板（４）の上辺に罫線（１０）を介して保持具（Ｂ）を設けた集積ホルダーであって、前記係止具（Ｂ）は、貼着片（２０）の左右に罫線を介して、上端に係止凹部（２１ａ）（２１ｂ）を有する係止片（２２ａ）（２２ｂ）、さらに、前記係止片（２２ａ）（２２ｂ）の外辺に罫線を介して貼着舌片（２３ａ）（２３ｂ）、および下辺に罫線を介して保持片（２４ａ）（２４ｂ）が設けられたブランク板を、罫線を介して折り曲げ、前記固着片（１）を前記後面板（４）に固着すると共に、前記貼着片（２０）を罫線（１０）から内方に折り返し、前記後面板（４）の内面に固着し、また、前記係止片（２２ａ）（２２ｂ）を前記貼着片（２０）側に折り曲げ、かつ、前記貼着舌片（２３ａ）（２３ｂ）を対向する前記前面板（３）の内面に固着したことを特徴とする集積ホルダーである。
【発明の効果】
【０００７】
前記のように、集積ホルダーは、組み立てた時に、ホルダー本体の内部に、係止凹部を上方に向いた状態で係止片が形成されるので、ポンプ機構を備えた容器の、前記ポンプ機構のノズル部分を、前記係止凹部係止することにより、一定方向に揃った状態で確実に保持することができる。
また、ポンプ機構を備えた容器全体を覆うことなく、前記ポンプ機構のノズル部分を係止凹部に係止することで集積保持できるので、容器のポンプ機構の上部を覆う、表示可能な集積保持することができる。
また、前記係止片に罫線を介して保持片が設けられているので、収納される容器の肩部を抑えた状態となるので、容器が安定した状態で保持することができる。
【図面の簡単な説明】
【０００８】
【図１】本発明の集積ホルダーの組み立て前のブランク板の一実施例を示す平面図である。
【図２】図１のブランク板の保持具の組み立て状態を示す説明図である。
【図３】図１のブランク板を組み立てた状態を示す説明図である。
【図４】本発明の集積ホルダーの組み立て前のブランク板の他の実施例を示す平面図である。
【発明を実施するための形態】
【０００９】
本発明の集積ホルダーを、実施の形態に沿って以下に詳細に説明する。
【００１０】
集積ホルダーを形成するブランク板は、図１に示すように、紙シート、プラスチックシート、または紙とプラスチックの積層シートを所定の外形に打ち抜いたもので、罫線を介して固着片（１）、側面板（２ａ）、前面板（３）、側面板（２ｂ）および後面板（４）を連設したホルダー本体（Ａ）の、前記後面板（４）の下辺に罫線（１０）を介して保持具（Ｂ）を設けた集積ホルダーである。
また、前記側面板（２ａ）、前面板（３）、側面板（２ｂ）および後面板（４）の上辺には罫線を介して、舌片（４０ａ）、先端に差込片（４１）を有する上蓋板（４２）、舌片（４０ｂ）、および前記差込片（４１）が差し込こまれる差込穴（４３）を有する下蓋板（４４）設けられた蓋部（Ｃ）が設けられている。
前記係止具（Ｂ）は、貼着片（２０）の左右に罫線を介して、下端に係止凹部（２１ａ）（２１ｂ）を有する係止片（２２ａ）（２２ｂ）、さらに、前記係止片（２２ａ）（２２ｂ）の外辺に罫線を介して貼着舌片（２３ａ）（２３ｂ）、および上辺に罫線を介して保持片（２４ａ）（２４ｂ）が設けられている。
【００１１】
ここで、前記側面板（２ａ）（２ｂ）と係止片（２２ａ）（２２ｂ）の幅は同じである。
また、前記貼着片（２０）の幅は、後面板（４）の幅より短く、かつ、前記貼着片（２０）は、前記貼着片（２０）の中心が、前記後面板（４）の中心からずらした位置に設けることが好ましい。
【００１２】
図２に示すように、図１に示したブランク板の、前記貼着片（２０）を、罫線（１０）から内方に折り返し、前記後面板（４）の内面に固着する。そして、前記貼着片（２０）の両側に設けた係止片（２２ａ）（２２ｂ）を、前記貼着片（２０）側に折り曲げ、起立させる。
【００１３】
そして図３に示すように、前記貼着舌片（２３ａ）（２３ｂ）を対向する前記前面板（３）の内面に固着することにより集積ホルダーが形成される。
【００１４】
ここで、前述の説明において、保持具（Ｂ）を後面板（４）の下辺に設ける構成について説明したが、前記保持具（Ｂ）は、前記前面板（３）の下辺に設けた構成としてもよい。
【００１５】
また、図４に示すように、罫線を介して固着片（１）、側面板（２ａ）、前面板（３）、側面板（２ｂ）および後面板（４）を連設したホルダー本体（Ａ）の、前記後面板（４）の上辺に罫線（１０）を介して保持具（Ｂ）を設けた集積ホルダーであって、前記係止具（Ｂ）は、貼着片（２０）の左右に罫線を介して、下端に係止凹部（２１ａ）（２１ｂ）を有する係止片（２２ａ）（２２ｂ）、さらに、前記係止片（２２ａ）（２２ｂ）の外辺に罫線を介して貼着舌片（２３ａ）（２３ｂ）、および上辺に罫線を介して保持片（２４ａ）（２４ｂ）が設けられたブランク板を用いた構造としてもよい。
【００１６】
ここで、前記図１と同様に、前記側面板（２ａ）（２ｂ）と係止片（２２ａ）（２２ｂ）の幅は同じである。
また、前記貼着片（２０）の幅は、後面板（４）の幅より短く、かつ、前記貼着片（２０）は、前記貼着片（２０）の中心が、前記後面板（４）の中心からずらした位置に設けることが好ましい。
【００１７】
図４のブランク板を、罫線を介して折り曲げ、前記固着片（１）を前記後面板（４）に固着する。そして、前記貼着片（２０）を罫線（１０）から内方に折り返し、前記後面板（４）の内面に固着し、また、前記前記係止片（２２ａ）（２２ｂ）を前記貼着片（２０）側に折り曲げて起立させ、かつ、前記貼着舌片（２３ａ）（２３ｂ）を対向する前記前面板（３）の内面に固着することにより集積ホルダーが形成される。
【００１８】
このように、前記集積ホルダーは、組み立てた時に、ホルダー本体の内部に、係止凹部（２１ａ）（２１ｂ）を上方に向いた状態で係止片（２２ａ）（２２ｂ）が形成されるので、ポンプ機構を備えた容器の、前記ポンプ機構のノズル部分を、前記係止凹部（２１ａ）（２１ｂ）に係止することにより、一定方向に揃った状態で確実に保持することができる。
また、ポンプ機構を備えた容器全体を覆うことなく、前記ポンプ機構のノズル部分を係止凹部（２１ａ）（２１ｂ）に係止することで集積保持できるので、容器のポンプ機構の上部を覆う、表示可能な集積保持をすることができる。
また、前記係止片に罫線を介して保持片（２４ａ）（２４ｂ）が設けられているので、収納される容器の肩部を抑えた状態となるので、容器が安定した状態で保持することができる。
【００１９】
また、前記貼着片（２０）の幅を、後面板（４）の幅より短く、かつ、前記貼着片（２０）は、前記貼着片（２０）の中心が、前記後面板（４）の中心からずらした位置に設けられていることにより、前記ブランク板を組み立てた時に、前記係止片（２２ａ）（２２ｂ）と、側面板との間隔が異なるようになり、ノズルを有するポンプ機構を具備した容器であっても、一定方向に揃えて保持することができる。
【符号の説明】
【００２０】
Ａ…ホルダー本体            Ｂ…係止具
１…固着片                  ２ａ、２ｂ…側面板
３…前面板                  ４…後面板
２０…貼着片                ２１ａ、２１ｂ…係止凹部
２２ａ、２２ｂ…係止片      ２３ａ、２３ｂ…貼着舌片
２４ａ、２４ｂ…保持片
１０…罫線
【図１】
2011006077.tif 000003
【図２】
2011006077.tif 000004
【図３】
2011006077.tif 000005
【図４】
2011006077.tif 000006